(57)【要約】【課題】本発明は、ＵＳＢメモリの保護キャップが紛失されないＵＳＢメモリを提供することを目的とする。【解決手段】本発明に係るＵＳＢメモリは、１つの側端にＵＳＢプラグが設置された本体と、前記本体を収納する保護キャップとを備え、前記本体は、前記保護キャップの上面に対して垂直に弾性変形して前記保護キャップをスライド可能とする固定装置を備え、前記保護キャップには、２つの固定孔が長手方向に沿って間隔をあけて開設され、前記本体をスライドさせて、前記固定装置を１つの前記固定孔に係合させることによって、ＵＳＢプラグを前記保護キャップ内に収納し、或いは前記保護キャップから露出させる。【選択図】図１
2013054723.tif 000002
【特許請求の範囲】
【請求項１】
１つの側端にＵＳＢプラグが設置された本体と、
前記本体を収納する保護キャップと、
を備え、
前記本体は、前記保護キャップの上面に対して垂直に弾性変形して前記保護キャップをスライド可能とする固定装置を備え、前記保護キャップには、２つの固定孔が長手方向に沿って間隔をあけて開設され、前記本体をスライドさせて、前記固定装置を１つの前記固定孔に係合させることによって、前記ＵＳＢプラグを前記保護キャップ内に収納し、或いは前記保護キャップから露出させることを特徴とするＵＳＢメモリ。
【請求項２】
前記固定装置は、前記本体内に固定される１つのバネと、前記バネに挿入され且つ前記固定孔に選択可能に係合される係止部と、を備えることを特徴とする請求項１に記載のＵＳＢメモリ。
【請求項３】
前記本体は、１つの下カバー及び１つのトップカバーを備え、前記下カバーは１つの底板を備え、前記底板の中央からは、１つの円柱体が突出して設けられ、前記円柱体には、前記バネを収容し固定する１つの収容溝が開設されていることを特徴とする請求項２に記載のＵＳＢメモリ。
【請求項４】
前記トップカバーは１つの上壁を備え、前記上壁には１つの貫通孔が開設され、前記係止部は１つの基盤と、前記基盤の上面及び底面からそれぞれ延伸する１つの挿入ピン及び１つの装着ピンとを備え、前記装着ピンは前記バネの１つの側端に挿入され、前記挿入ピンは前記貫通孔に収納され且つ前記保護キャップの１つの前記固定孔に挿入されることを特徴とする請求項３に記載のＵＳＢメモリ。
【請求項５】
前記保護キャップは、前記保護キャップの両端を貫通する１つの収容空間が設けられ、前記保護キャップの両側面には１つの突出部がそれぞれ設けられ、前記突出部の内側には、前記収容空間と連通する１つのスロットが開設され、前記本体の両側面には、前記スロットにスライド可能に係合するピンがそれぞれ突出して設置されていることを特徴とする請求項１〜４のいずれか一項に記載のＵＳＢメモリ。
【請求項６】
前記本体のもう１つの側端には１つの操作部が設置され、前記ＵＳＢプラグが前記保護キャップから露出する場合、前記操作部は、前記底板の、前記ＵＳＢプラグが位置する側に対向する１つの側端に当止されることを特徴とする請求項３〜５のいずれか一項に記載のＵＳＢメモリ。
【発明の詳細な説明】
【技術分野】
【０００１】
本発明は、ＵＳＢメモリに関するものである。
【背景技術】
【０００２】
現在、多くのＵＳＢメモリの保護キャップはＵＳＢ本体と分離している。そのため、紛失し易く、且つプラグ部分が露出して壊れ易い。
【発明の概要】
【発明が解決しようとする課題】
【０００３】
本発明の目的は、前記課題を解決し、ＵＳＢメモリの保護キャップが紛失されないＵＳＢメモリを提供することである。
【課題を解決するための手段】
【０００４】
上記目的を達成するために、本発明に係るＵＳＢメモリは、１つの側端にＵＳＢプラグが設置された本体と、前記本体を収納する保護キャップとを備え、前記本体は、前記保護キャップの上面に対して垂直に弾性変形して前記保護キャップをスライド可能とする固定装置を備え、前記保護キャップには、２つの固定孔が長手方向に沿って間隔をあけて開設され、前記本体をスライドさせて、前記固定装置を１つの前記固定孔に係合させることによって、前記ＵＳＢプラグを前記保護キャップ内に収納し、或いは前記保護キャップから露出させる。
【発明の効果】
【０００５】
本発明に係るＵＳＢメモリは、本体の固定装置を保護装置の固定孔に選択的に挿入できるため、ＵＳＢプラグを露出させる場合、固定装置を対応する固定孔に挿入して、保護キャップを本体に固定させるので、保護キャップを紛失することがない。
【図面の簡単な説明】
【０００６】
【図１】本発明の実施形態に係るＵＳＢメモリの立体分解図である。
【図２】図１に示すＵＳＢメモリ本体の立体分解図である。
【図３】図１に示すＵＳＢメモリの立体組立図である。
【図４】図３に示すＵＳＢメモリが使用されている状態を示す図である。
【発明を実施するための形態】
【０００７】
図１に示したように、本発明の実施形態に係るＵＳＢメモリは、本体１０と、本体１０を収納する矩形を呈した保護キャップ２０とを備え、前記保護キャップ２０の両端には、開口２２０がそれぞれ設けられている。前記保護キャップ２０の１つの開口２２０には、差し板２６が設置されている。前記保護キャップ２０には、前記保護キャップ２０と前記差し板２６とを貫通する収容空間２２が設けられている。
【０００８】
前記保護キャップ２０の両側面には、長手方向に、突出部２４がそれぞれ設けられており、前記突出部２４それぞれの内側には、前記収容空間２２と連通するが開口２２０とは連通しないスロット２４０がそれぞれ開設されている。また、前記保護キャップ２０の上壁には、収容空間２２と連通する２つの固定孔２００が、長手方向に沿って、間隔を開けて開設されている。
【０００９】
図２に示したように、前記本体１０は、下カバー１６と、トップカバー１８及び固定装置１９と、を備える。前記下カバー１６は、底板１６１と、前記底板１６１の両側から垂直に上方に延伸する２つの側板１６４とを備える。前記底板１６１の１つの側端には、ＵＳＢプラグ１２が設置され、もう１つの側端には、操作部１４が設置されている。前記底板１６１の中央からは、該底板１６１に対して垂直に、上方に延伸する円柱体１６０が突出して設けられ、且つ前記円柱体１６０には収容溝１６２が開設されている。前記２つの側板１６４の外側面には、ピン１６６がそれぞれ突出して設置され、且つ前記ピン１６６の末端は、半円球形を呈している。
【００１０】
前記トップカバー１８は、上壁１８４及び前記上壁１８４の両側から、前記上壁１８４に対して垂直に、下方に延伸する側壁１８６を備える。前記上壁１８４には、前記円柱体１６０の前記収容溝１６２に対応する１つの貫通孔１８０が開設され、前記トップカバー１８の１つの側端には、開口１８２が開設されている。また、前記固定装置１９は、１つのバネ１９０及び１つの係止部１９２を備える。前記係止部１９２は、円盤状の基盤１９４と、前記基盤１９４の上面及び底面からそれぞれ延伸する１つの半円球形の挿入ピン１９６及び１つの装着ピン１９８とを備える。
【００１１】
前記本体１０を組み立てる際、前記バネ１９０は、前記収容溝１６２に収容され且つ固定される。前記固定装置１９の装着ピン１９８が前記収容溝１６２から離れた前記バネ１９０のもう１つの側端に挿入された後、前記バネ１９０の両端は、前記下カバー１６の前記底板１６１と前記係止部１９２の前記基盤１９４の底部とにそれぞれ固定される。次いで、前記トップカバー１８は、下カバー１６に装着され、この際、前記挿入ピン１９６は前記貫通孔１８０を貫き、前記基盤１９４は前記上壁１８４の内側に当接される。また、前記操作部１４は、前記底板１６１の、前記ＵＳＢプラグ１２が位置する側に対向するもう１つの側端に係止され、前記開口１８２は、前記ＵＳＢプラグ１２に係合する。
【００１２】
図３に示したように、前記ＵＳＢメモリを組み立てる際、前記本体１０を、前記保護キャップ２０の前記差し板２６が設置されている側に位置する開口２２０へ差し込むことによって、前記本体１０は前記保護キャップ２０の収容空間２２に徐々に収納される。この際、前記挿入ピン１９６が前記収容空間２２の前記上壁１８４に押圧され、且つ前記バネ１９０も圧縮されて弾性変形して、これにより前記挿入ピン１９６は完全に前記貫通孔１８０に収容される。また、前記本体１０の両端にある前記ピン１６６は、前記保護キャップ２０のスロット２４０にスライド可能にそれぞれ係合する。次いで、前記本体１０を前記保護キャップ２０の長手方向に沿ってスライドさせると、前記挿入ピン１９６は、前記差し板２６に近い１つの前記固定孔２００に辿り着き、前記バネ１９０の弾性復帰によって、１つの前記固定孔２００に挿入されて固定される。この際、ＵＳＢプラグ１２は、収容空間２２内に収容される。
【００１３】
図４に示したように、前記本体１０を使用する場合、前記挿入ピン１９６を押して、完全に前記貫通孔１８０に収容した後、前記固定孔２００の方向へ前記本体１０をさらにスライドさせると、前記挿入ピン１９６は、もう１つの前記固定孔２００に辿り着き、前記バネ１９０の弾性復帰によって、もう１つの前記固定孔２００に挿入されて固定される。これにより、前記ＵＳＢプラグ１２は、前記収容空間２２から露出し、前記本体１０を使用することができる。また、この際、操作部１４は、差し板２６に当止される。
【００１４】
他の実施例において、差し板２６は、省略できる。
【符号の説明】
【００１５】
１０  本体
１２  ＵＳＢプラグ
１４  操作部
１６  下カバー
１８  トップカバー
１９  固定装置
１６０  円柱体
１６１  底板
１６２  収容溝
１６４  側板
１６６  ピン
１８０  貫通孔
１８２、２２０  開口
１８４  上壁
１８６  側壁
１９０  バネ
１９２  係止部
１９４  基盤
１９６  挿入ピン
１９８  装着ピン
２０  保護キャップ
２２  収容空間
２４  突出部
２６  差し板
２００  固定孔
２４０  スロット
【図１】
2013054723.tif 000003
【図２】
2013054723.tif 000004
【図３】
2013054723.tif 000005
【図４】
2013054723.tif 000006